(57)【要約】      （修正有）【課題】メラミン樹脂発泡体（メラミンフォーム）は硬質表面についた汚れを水だけで取り除くことができるという他にない特性をもっているが、ウレタンフォームなどと異なり、引っ張り強度が弱く、脆いという欠点がある。このため、メラミンフォームを柄の先端に付けた形の洗浄用ブラシはフォームが壊れやすいため実用化されておらず、現状ではメラミンフォームを直接手に持つ方法で洗浄に用いられているが、ガラスコップなどの奥深い形状の容器の洗浄には不便であった。【解決手段】メラミンフォームをブラシ部材とする洗浄用ブラシを実現したものであり、取付部からメラミンフォームに加わる局所的な力を分散させるために、取付部とフォームの間にウレタンフォームなどの薄い樹脂発泡体または軟質樹脂を緩衝材として介在させる構成とした。この構成により、メラミンフォームは壊れにくくなり、またフォームだけを容易に交換できる。【選択図】なし【実用新案登録請求の範囲】
【請求項１】
食器などの硬質表面に接触させて汚れを除去するブラシ部材と、このブラシ部材を取り付ける支持部材とを有するブラシにおいて、ブラシ部材をメラミンフォームとし、支持部材に二股の取付部を設け、その股間にメラミンフォームを挟み込み、該メラミンフォームと取付部の間にウレタンフォームを介在させたことを特徴とする洗浄用ブラシ。
【請求項２】
ウレタンフォームに代わり、軟質樹脂をメラミンフォームと取付部の間に介在させたことを特徴とする請求項１の洗浄用ブラシ。
【考案の詳細な説明】
【考案の詳細な説明】
【技術分野】
【０００１】  本考案は、メラミン樹脂発泡体（メラミンフォーム）をブラシ部材として備えた硬質表面洗浄用ブラシに関するものである。
【背景技術】
【０００２】  従来、洗浄用ブラシは、ブラシ部材として毛状またはスポンジ状の部材が用いられ、洗剤などを含ませて食器などを洗浄するのに便利に用いられてきた。また近年、ガラスや陶磁器など硬質表面の容器を水だけで洗浄できる素材として、メラミンフォームが家庭に普及しており、立方体または直方体の形状のものを直接手に持つ方法で洗浄に用いられることが多い。
【考案が解決しようとする課題】
【０００３】  ブラシ部材としてウレタンフォームなどのスポンジ状の部材を用い、これに柄の先端に挟み付けた形状の洗浄用ブラシは日常普通に見られる。しかし、この型の洗浄用ブラシには、洗剤を用いるため環境に負荷をかける、湯のみに付いた茶渋などの洗浄が困難である、などの欠点があった。メラミンフォームは軟質表面の洗浄には不向きであるが、硬質表面であれば、水だけで洗浄でき、茶渋などを容易に洗浄できる。しかし現状ではメラミンフォームを直接手に持つ方法で洗浄に用いられているので、ガラスコップ、ガラス瓶、ガラス製実験器具などの奥深い形状の容器の洗浄には不便であり、通常のブラシのように柄が付いた形状のものが便利である。ブラシ部材としてウレタンフォームなどスポンジ状のものを用い、この部材を柄の先端に挟付けた形状の洗浄用ブラシは見られるが、メラミンフォームを部材とするブラシはこれまで存在しなかった。メラミンフォームは硬質表面についた汚れを水だけで取り除くことができるという他にない特性をもっているが、ウレタンフォームなどと異なり、引っ張り強度が弱く、脆いという欠点がある。柄に取り付ける場合、ウレタンフォームでは、図１に示すような柄１の二股になった取付部２に挟み込んでブラシを形成でき、使用に際してもフォームの部分が壊れることはない。しかし、メラミンフォームは脆いので、挟み込む際に壊れ易く、また使用の際にも取付部２に挟まれた部分付近でフォームが壊れやすく実用化されていなかった。
【課題を解決するための手段】
【０００４】  本考案は、メラミンフォームをブラシ部材とする洗浄用ブラシを実現したものである。その手段として、図２に示すように、取付部２からメラミンフォーム３に加わる局所的な力を分散させるために、取付部２とフォーム３の間にウレタンフォーム４などの薄い樹脂発泡体または軟質樹脂のスペーサー５を緩衝材として介在させる構造とした。
【考案を実施するための最良の形態】
【０００５】  図１の取付部２にメラミンフォーム３を挟み込む際に、図２に示すように、外側の両面にそれぞれウレタンフォーム４を配置し、中央付近を押し縮めながら取付部２の二股の中に押し込み固定した。使用に際して、取付部２に挟まれた部分にはウレタンフォーム４が介在しているので、加えた力はウレタンフォーム４によって分散され、結果として局部的な力が緩和されるので、メラミンフォーム３が壊れることが解消された。【０００６】  また、図３に示すように、二股の取付部２の内側面に適合させて、軟質ウレタン樹脂あるいはシリコン樹脂などによりスペーサー５を成型した。図２において、ウレタンフォーム４の代わりに、該スペーサー５をメラミンフォーム３と取付部２の間に介在させ、緩衝材として用いることができる。即ち、先ずスペーサー５の股の部分にメラミンフォーム３を挟み込み、次いでスペーサー５の外側の溝に取付部２の股部を嵌合させて、固定する。【０００７】  ブラシを構成する取付部２は単一に限らない。ブラシに求められる洗浄能力に対応するために、複数の取付部２を構成することができる。図４に示したものは、その実施例であり、その他に取付部２を放射状、並列状などに配列することもできる。【０００８】  取付部２は二股に限らず、図６に示すように三股、さらに四股などとすることもできる。また、取付部２は独立したものに限らず、図７のように並列して構成することもできる。いずれの場合も、股の間にメラミンフォーム３とウレタンフォーム４あるいはスペーサー５を挟み込み、ブラシを構成する。
【考案の効果】
【０００９】  この考案により、ウレタンフォームを手で直接持つことなく洗浄に用いることができ、奥深い形状の容器の内部でも容易に洗浄でき、また水だけで湯飲みの茶渋などを容易に取り除くことができるようになった。ウレタンフォーム３は、接着剤などによる固着ではなく、取付部２で挟んで保持されているので、必要に応じて、容易に該フォーム３のみを新しいものに取り替えることができ、省資源性も高い。
【図面の簡単な説明】
【図１】本考案に係る洗浄用ブラシの柄およびブラシ取付部の斜視図である。
【図２】本考案に係る洗浄用ブラシの斜視図である。
【図３】本考案に係る洗浄用ブラシのスペーサー５の斜視図である。
【図４】本考案に係るブラシ取付部の配置に関する実施例の斜視図である。
【図５】本考案に係るブラシ取付部の配置に関する実施例を示すものであり、図４に示した軸方向における断面図である。
【図６】本考案に係るブラシ取付部の配置に関する実施例を示すものであり、図４に示した軸方向における断面図である。
【図７】本考案に係るブラシ取付部の配置に関する実施例を示すものであり、図４に示した軸方向における断面図である。
【符号の説明】
１…柄
２…ブラシ部材を挟んで保持するための取付部
３…メラミンフォーム
４…ウレタンフォーム
５…軟質樹脂製のスペーサー
0003106041.tif 000002
【手続補正書】
【提出日】平成16年7月14日(2004.7.14)
【手続補正１】
【補正対象書類名】実用新案登録請求の範囲
【補正対象項目名】全文
【補正方法】変更
【補正の内容】
【実用新案登録請求の範囲】
【請求項１】
食器などの硬質表面に接触させて汚れを除去するブラシ部材と、このブラシ部材を取り付ける支持部材とを有するブラシにおいて、ブラシ部材をメラミンフォームとし、支持部材に二股の取付部を設け、その股間にメラミンフォームを挟み込み、該メラミンフォームと取付部の間にウレタンフォームを介在させたことを特徴とする洗浄用ブラシ。
【請求項２】
ウレタンフォームに代わり、軟質樹脂をメラミンフォームと取付部の間に介在させたことを特徴とする請求項１の洗浄用ブラシ。
【手続補正２】
【補正対象書類名】図面
【補正対象項目名】全図
【補正方法】変更
【補正の内容】
【図１】
0003106041.tif 000003
【図２】
0003106041.tif 000004
【図３】
0003106041.tif 000005
【図４】
0003106041.tif 000006
【図５】
0003106041.tif 000007
【図６】
0003106041.tif 000008
【図７】
0003106041.tif 000009